Podtech/llm-jp-corpus-v4-ja_patent huggingface dataset:
(57)【要約】      （修正有）【課題】仕掛けを投入する時、ハリスが道糸やクッションサルカンおよび板鉛にからみにくくする。【解決手段】サルカンにクッション部として折り返してヨリを加えたナイロン糸を結合し、その結合部をビニールパイプで覆う。ヘラブナ釣り仕掛けを投入する時、サルカンとクッション部の直線性が保持されており、ハリスと道糸やクッションサルカンとの距離が保たれ、ハリスが道糸やクッションサルカンおよび板鉛とからみにくくなる。【選択図】図１
0003141653.tif 000002
【実用新案登録請求の範囲】
【請求項１】
サルカンにクッションとして折り返してヨリを加えたナイロン糸を結合した事を特徴とするクッションサルカン。
【請求項２】
前記クッションサルカンは折り返してヨリを加えたナイロン糸の結合部をビニールパイプで覆い、ゆるみ止めおよびサルカンとナイロン糸の直線性を保持することを特徴とする請求項１記載のクッションサルカン。
【考案の詳細な説明】
【技術分野】
【０００１】  この考案は、ヘラブナ釣り仕掛けの道糸とハリスとを結合するクッションサルカンの形状に関する。
【背景技術】
【０００２】  従来のヘラブナ釣り仕掛けに用いるクッションサルカンの形状は、図２に示すように、サルカン１に伸縮性のあるゴム製のクッション２が設けられたものである。また図３のようにクッションサルカンのゴム製のクッションに板鉛を巻いていた。
【考案の開示】
【考案が解決しようとする課題】
【０００３】しかしながら、以上の技術によれば、ヘラブナ釣り仕掛けを投入する時、図３のように板鉛を巻きつけると、道糸やクッションサルカンおよび板鉛とハリスがからみやすかった。そこで、この考案は、ハリスがからみにくいクッションサルカンを提供することを課題とする。
【課題を解決するための手段】
【０００４】  以上の課題を解決するために、第一考案は、サルカンにクッションとして折り返してヨリを加えたナイロン糸を結合したことを特徴とするクッションサルカンである。
また、第二考案は、サルカンと折り返してヨリを加えたナイロン糸の結合部をビニールパイプで覆い、ゆるみ止め、およびサルカンと折り返してヨリを加えたナイロン糸との直線性を保持することを特徴とするクッションサルカンである。
【考案の効果】
【０００５】  第一考案、または第二考案によれば、ヘラブナ釣り仕掛けを投入する時、ハリスが道糸やクッションサルカンおよび板鉛にからみにくい。
【考案を実施するための最良の形態】
【０００６】  この考案の一実施形態を、図１に示す。
サルカン１に折り返してヨリを加えたナイロン糸製のクッション２を結合し、その結合部をビニールパイプ３で覆ったものである。【０００７】「実施形態の効果」
この実施形態によれば、ヘラブナ釣り仕掛けを投入した時、折り返してヨリを加えたナイロン糸製のクッションとサルカンの直線性が保持されていてハリスが道糸やクッションサルカンおよび板鉛とからみにくい。【０００８】「他の実施形態」
図１の実施形態では、サルカンは樽形であったが、他の実施形態では、サルカンはリング式としたものでも良い。
【図面の簡単な説明】
【０００９】
【図１】この考案の一実施形態を示す斜視図である。
【図２】従来技術を示す斜視図である。
【符号の説明】
【００１０】  １  サルカン                ２  クッション
３  ビニールパイプ          ４  板鉛
【図１】
0003141653.tif 000003
【図２】
0003141653.tif 000004
【図３】
0003141653.tif 000005
【手続補正書】
【提出日】平成20年3月4日(2008.3.4)
【手続補正１】
【補正対象書類名】明細書
【補正対象項目名】０００９
【補正方法】変更
【補正の内容】
【０００９】
【図１】この考案の一実施形態を示す斜視図である。
【図２】従来技術を示す斜視図である。
【図３】従来技術の一実施形態を示す斜視図である。
(57)【要約】      （修正有）【課題】ゴルフの練習において、人工芝マットに代えて、天然芝で構成し、あたかもゴルフ場でゴルフボールを打ち出すのと同様な練習ができるゴルフマットを提供する。【解決手段】天然芝３を用いたゴルフ練習用マット１は、マット本体部と芝生をシリコン又はウレタン樹脂により接着し、更に芝生に等間隔に開けた穴４に樹脂を流し込みマット本体部と芝生との接着２を強固にし、天然芝の剥がれを防止した。【選択図】図１
0003141660.tif 000002
【実用新案登録請求の範囲】
【請求項１】
合成樹脂又はゴム素材からなるマット本体部、マット本体と天然芝の接着部、および前記マット部、前記上部接着部の少なくとも一つに固定され、ゴルフ場の打席を擬製して前記マット部の上部にまで延びる天然芝を含む、ゴルフ練習用マット。
【請求項２】
天然芝は畑から切り出されたものを使用し、刈り込む長さにより、フェアウェー仕様、ラフ仕様、グリーン仕様の３パターンでの使用を可能にした天然芝を用いた請求項１に記載したゴルフ練習用マット。
【請求項３】
前記天然芝マットは使用する場所により、大きさを自由に決めることが出来ることを特徴とする請求項１に記載の天然芝を用いたゴルフ練習用マット。
【考案の詳細な説明】
【技術分野】
【０００１】本考案はゴルフの練習において、人工芝マットに代えて、天然芝で構成したマットであり、あたかもゴルフ場でゴルフボールを打ち出すのと同様な練習用として使用する為のゴルフマットに関するものである。
【背景技術】
【０００２】ゴルフの練習において、表層に人工芝を形成したマットが多く使用されている。また、天然芝を形成したマットにおいても、固定性が悪く、芝がすぐに剥がれ、使えなくなってしまっていた。
【考案の開示】
【考案が解決しようとする課題】
【０００３】従来の人工芝のゴルフ練習用マットでは、実際にゴルフ場の天然芝でプレイする感覚はなく、また、天然芝を形成したマットでは、すぐに芝が剥がれて使えなくなってしまう欠点を解決しようとするものである。
【課題を解決するための手段】
【０００４】本考案の天然芝を用いたゴルフ練習用マットは、マット本体部と天然芝をシリコン又はウレタン樹脂により接着し、天然芝生シートに等間隔（１００ｍｍ）で穴４をあけ、そこに柱状にシリコン又はウレタン樹脂を流し込み、マット本体部と芝生との接着を強固にし、天然芝の剥がれを解決する。
【考案の効果】
【０００５】天然芝の固定性を強化し、すぐに天然芝が剥がれてしまうことを防ぐことにより、人工芝ゴルフ練習用マットのような繰返しの使用性と、ゴルフ練習において、実際のゴルフコースに近い状態で練習ができる、天然芝を用いたゴルフ練習用マットを提供できることである。
【考案の実施するための最良の形態】
【０００６】本考案の天然芝を用いたゴルフ練習用マットは、持ち運びが出来る為、プレーヤーは、ゴルフ練習の際に場所を選ばず、どこでも天然芝を用いた前記のゴルフマットを使用してゴルフ練習ができる。
【実施例】
【０００７】以下、添付図面に従って実施例を説明する。１は弾性を有するゴム製のマットで、２は１のゴム製のマットと天然芝の接着面であり、ゴルフボールを打った時の感覚をよりゴルフ場での感覚と近いものにする為と芝の剥がれを少なくする為に、弾力性のあるシリコンやウレタン樹脂を使用した。マット上部の天然芝３上にゴルフボールを置きゴルフの打ち出す練習用として使用し、サイズも自由に出来るので、自宅の庭などで手軽に利用することが出来る。
【図面の簡単な説明】
【０００８】【図１】本考案の実施の形態を示すマットの要部の断面図である。
【図２】本考案の実施の形態を示すマットの斜視図である。マット１と芝生下部はシリコン又はウレタン樹脂により接着し、さらに芝生シートに等間隔（１００ｍｍ）で穴４をあけ、そこに柱状にシリコン又はウレタン樹脂を流し込むことによりマットとの接着を強化し、ゴルフボールを打ったときの飛散を最小限に留めた。
【図３】本考案の実施の形態を示す要部の断面図である。
【符号の説明】
【０００９】１  マット２  マットと天然芝生との接着面３  天然芝４  天然芝に開けた穴でシリコンまたはウレタン樹脂を流し込んだ穴である。Ａ  ゴルフボール
【図１】
0003141660.tif 000003
【図２】
0003141660.tif 000004
【図３】
0003141660.tif 000005
(57)【要約】      （修正有）【課題】２つの差込口を持つクリアファイルを作成し、より多くの量の書類を整理する。【解決手段】フィルムシートをＮ字の蛇腹状に加工し、底辺（ｂ）を圧着することで左辺（ａ２）右辺（ｃ２）という２つの開口部を持つことが出来従来のクリアファイルと同等の外形寸法でありながら２倍に相当する収納力をもち、さらに２つある開口部により、書類の分別性能を高めることが出来るまた、表面に印刷を施した場合に暗黙に生じてしまう表裏という優劣関係を開口部を２つ設けることで解消し、公平な広告スペースの活用に役立つ。【選択図】図１
0003141659.tif 000002
【実用新案登録請求の範囲】
【請求項１】
フィルムシート材料を使用し、クリアファイルをＮ字の蛇腹に折り下辺を圧着して作成することで、収納スペースを通常のクリアファイルより多く確保することを可能としたところを特徴とする蛇腹型クリアファイル
【請求項２】
前記の材料に対する印刷は、オフセット印刷を用いて絵や文字、写真などを印刷した請求項１に記載の蛇腹型クリアファイル
【考案の詳細な説明】
【技術分野】
【０００１】  本考案は主として、フイルムシート材料に対して多目的に使用できる利便性の高いノベルティー商品に関するものである。
【背景技術】
【０００２】  従来のクリアファイルは、書類差込口が一カ所しかなく差し込める書類の量は限られていた。【０００３】  従来のクリアファイルは、書類差込口が一カ所しかないゆえに、はさんだ書類を基準として表面裏面というように広告印刷面などに暗黙の優劣関係が生じていた。
【考案が解決しようとする課題】
【０００４】  従来のクリアファイルは、書類差込口が一カ所しかなく差し込める書類の量は限られており、それを解決するためにはファイル下辺にマチを施す等ファイルの厚みを物理的に大きく変更せざるを得なかった。また、多種類の書類を収納しようとすると分類が判りづらくなるという課題があった。
【０００５】  少なからずプラスチック製品は廃棄処理の段階で環境に負荷をかけてしまうという課題を持っているが、本考案である蛇腹式クリアファイルの材料シート素材を再生樹脂材料もしくはトウモロコシ等から製造されるＰＬＡ《ポリ乳酸》を主原科とした生分解性プラスチック材料を使用して作成することで環境負荷の課題を解決することができる。
【課題を解決するための手段】
【０００６】  書類収納のスペースを確保するため、トムソン型で抜いたフィルムシート材料をＮ字の蛇腹に折り下辺を圧着することで、書類差込口が互いに反対方向に開く構造を持ち、多種類の書類の分類にも書類が混ざることなく分類することが可能になる。
【考案実施の形態】
【０００７】  図１は本考案の蛇腹式クリアファイル（Ｆ）の視図である。図１で蛇腹式クリアファイル（Ｆ）の左辺（ａ１）は山折に右辺（ｃ２）谷折りになっており、底辺（ｂ）は圧着されている。そのため左辺（ａ１）と右辺（ｃ１）、底辺（ｂ）は閉じた状態になっている。上辺（ｄ）と左辺（ａ２）右辺（ｃ２）は開口しているため、ここから書類等を出し入れすることができる。
【０００８】  図２は本考案の蛇腹式クリアファイル（Ｆ）の展開図である。図１で蛇腹式クリアファイル（Ｆ）は１枚のフィルムシートをＮ字の蛇腹状に折り曲げ底辺（ｂ）を圧着することで左辺（ａ２）右辺（ｃ２）という２つの開口部を持つことが出来、従来のクリアファイルと同等の外形寸法でありながら２倍に相当する収納力をもち、さらに２つある開口部により、書類の分別性能を高めることが出来る。
【０００９】  この蛇腹式クリアファイル（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【００１０】
【図１】本考案の蛇腹式クリアファイルの視図。
【図２】図１の蛇腹式クリアファイルの展開図
【符号の説明】
【００１１】Ｆ    蛇腹式クリアファイル
１    蛇腹式クリアファイルの表面
ａ１  左辺
ａ２  左辺
ｂ    底辺
ｃ１  右辺
ｃ２  右辺
ｄ    上辺
【図１】
0003141659.tif 000003
【図２】
0003141659.tif 000004
(57)【要約】【課題】  本考案は擬似出血状態をつくりだすことにより、実際の臨床以外での止血のテクニックの訓練を可能とする。【解決手段】  本考案は管本体１に、厚さ１ｍｍ以上の肉組織２を管の片側端を覆うように接着固定する。固定力が弱い場合、さらにその肉組織の周辺を輪ゴム３などにて固定する。管１の反対側端から赤い液体を流し込み、接着固定した肉組織２に針などで穴を開け赤い液を排液させて擬似出血状態をつくりだす。【選択図】図１
0003141632.tif 000002
【実用新案登録請求の範囲】
【請求項１】
管の端より赤い液を流し込み反対側の端に接着固定させた肉組織へ針穴を開けることにより排液させる擬似出血モデル。
【考案の詳細な説明】
【技術分野】
【０００１】  本考案は、出血に対する止血テクニック練習のための擬似出血モデルである。
【背景技術】
【０００２】  実際の臨床において止血テクニックを習得している。
【考案の開示】
【考案が解決しようとする課題】
【０００３】  実際の臨床以外での止血テクニック習得のための練習用器具が現在ない。
【課題を解決するための手段】
【０００４】  本考案は、管の端より赤い液を流し込み反対側の端に接着固定させた肉組織へ針穴を開けることにより排液させ擬似出血状態をつくる。
【考案の効果】
【０００５】  上述の様に、擬似出血モデルを使用し止血方法を訓練することにより、実際の臨床以外で止血テクニックを安全に習得することが可能となり、医療事故の減少ならびに防止に繋がる。
【考案を実施するための最良の形態】
【０００６】  管の片側端に接着固定した肉組織を下にして設置し、上方端より赤い液を流し込む。下方端の肉組織に針で穴を開け赤い液を排液させる。
【実施例】
【０００７】  以下、添付図面に従って一実施例を説明する。１は耐久性を有する樹脂など適宜素材の管本体、２は厚さ１ｍｍ以上の肉組織で、１の管の片側端を覆うように貼り付け固定する。固定力が弱い場合、管に固定された２の肉組織の周辺をさらに３の輪ゴムなどで固定する。
【図面の簡単な説明】
【０００８】
【図１】本考案の擬似出血モデルの一実施例を示す側面図である。
【図２】本モデルの先端拡大図である。
【符号の説明】
【０００９】１  管
２  肉組織
３  輪ゴム
【図１】
0003141632.tif 000003
【図２】
0003141632.tif 000004
(57)【要約】      （修正有）【課題】普通サイズの切り餅を小さい一口のサイコロ形に切り、老人が入れ歯で食い切ることをなくした切り餅を提供する。【解決手段】切り餅を小さい一口さいずのサイコロ形やせんべい形にし口のおくにはしで入れることで入れ歯にさわることを最少減にへらせた。乳児用にも便利であり冷凍やレトルトパウチ食品にしたことで非常食品にも便利である。【選択図】図３
0003141631.tif 000002
【実用新案登録請求の範囲】
【請求項１】
つき餅を赤ちゃん用はうすく小さくし、幼児や高齢者用は一口で食べられるよう小さいサイコロに切っことを特長とした一口用切り餅。
【請求項２】
小さく一口用にした餅は小量ずつ小袋に入れ冷凍することを特長とした一口用切り餅。
【請求項３】
非常用は普通サイズ切り餅も一口用切り餅もレトルトパウチ食品とし中に小袋に入れたキナ粉やあずきあんなどもいっしょに入れることを特長とした切り餅。
【考案の詳細な説明】
【技術分野】
【０００１】  本考案は切り餅に関するものである。
【背景技術】
【０００２】  いつの年も入れ歯の人が餅が歯にくっつきかんでしまい口の中を切ったり医者に運こばれたりしている。又入れ歯の老人は餅が前歯でくい切れず大きいまま口に入れのどにつまらせ亡くなる人もいた。
【考案の開示】
【考案が解決しようとする課題】
【０００３】  普通サイズの餅はどうしても前歯で食い切らないとたべられない。
入れ歯の人にとっては餅を食い切ることは思ったよりなんぎでる又幼児に食べさせる時は親が自分の口でいくつかにちぎり食べさせている．それが虫歯の元といわれているのでこれを解決しようと考へたものである。
【課題を解決するための手段】
【０００４】  本考案は普通サイズの切り餅を小さい一口のサイコロ形に切り老人は入れ歯で食い切ることをなくした。口の奥に小さいサイコロに切った餅を入れ舌でころがして汁といっしょにのみこみ入れ歯に餅がくっつくのを最少減にした。【０００５】  幼児には親の口で食い切ることもなくなった。また乳児のり乳食にも朝のおつけに入れれば手間がはぶける。
【考案の効果】
【０００６】上述の様に餅を小さくし一つずつはしではさんで口の中に入れられるようになったことでのどにつまらせる事故はへると思った。
【考案の実施するための最良の形態】
【０００７】  乳児用のうすく小さくした切り餅や小さくサイコロにした切り餅は冷凍食品にし品質を保った。又小さい袋に入れたことで色々な料理にもこまめに利用出来る。
【０００８】又非常食には、ばつ郡である。やわらかい内に急冷凍にした時解凍すると冷凍した時と同じくやわらかいのです。
そこへいっしょにキナ粉やあずきあんも入れてあれば、レトルトパウチ食品にしてなくても冷凍を解凍するだけでやわらかくそのままたべられる。日々をおく非常食用はやはりレトルトパウチ食品が安心である。
【実施例】
【０００９】  以下添付図面に従って説明する。図１は小さく色々な形にした切り餅。図２はつかいやすいように小さくきった餅を小袋に入れた図。図３はレトルトパウチ食品にした一口切り餅。
【図面の簡単な説明】
【００１０】
【図１】一口サイズにしたせんべい餅。サイコロ餅の図
【図２】小量をいくつかの小袋に入れた図
【図３】レトルトパウチ食品にした非常食用一口餅や普通餅。
【符号の説明】
【００１１】１  小さく切った色々の形の餅
２  いくつかの小袋に入った冷凍切餅
３  袋のままお湯でにられる袋
４  キナ粉やあずきあんの袋
【図１】
0003141631.tif 000003
【図２】
0003141631.tif 000004
【図３】
0003141631.tif 000005
【手続補正書】
【提出日】平成20年2月14日(2008.2.14)
【手続補正１】
【補正対象書類名】実用新案登録請求の範囲
【補正対象項目名】全文
【補正方法】変更
【補正の内容】
【実用新案登録請求の範囲】
【請求項１】
つき餅を乳児用にうすく小さく作り幼児や高齢者用は一口で食べ食べられるよう小さくサイコロ形に切ったことを特長とした一口用切り餅。
【請求項２】
小さく切った乳児用・幼児用、高齢者用の切り餅は小量ずつ小袋に入れ冷凍することを特長とした請求項１記載の一口用切り餅。
【請求項３】
非常食用として普通サイズの餅も乳児用・幼児用・高齢者用の一口用切り餅も調理してレトルトパウチ食品として冷凍することを特長とした請求項１記載の一口用切り餅。
(57)【要約】      （修正有）【課題】折りたたみ自転車を、携帯するバッグの体積を小さく、又、軽量化し、生産工程の簡略化も可能ならしめる。【解決手段】折りたたみ自転車の前部（ハンドルフレーム、前輪）、中央フレーム、後部（サドルフレム、後輪）、これらを３分割ととらえ、中央フレームを独立させ、そうすれば携帯バッグに小さくまとまり、左右振り分けて持ち易くなる。又、分割により、生産工程も簡略化され、コストも安くなる。【選択図】図−１
0003141634.tif 000002
【実用新案登録請求の範囲】
【請求項１】
折りたたみ自転車の中央フレームの独立。
【考案の詳細な説明】
【技術分野】
【０００１】折りたたみ自転車のフレーム部に関する事です。
【背景技術】
【０００２】折りたたみ自転車の体積（携帯バッグの表面積）を小さく出来ないか、考えてみました。
【考案の開示】
【発明が解決しょうとする課題】
【０００３】折りたたみ自転車の折りたたんだ状態が、一体化する必要はあるのか。
【課題を解決するための手段】
【０００４】折りたたみ自転車の中央フレームを別個にしてはどうかと考えました。
【考案の効果】
【０００５】折りたたみ自転車を前部（ハンドルフレーム、前輪）中央フレーム、後部（サドルフレーム、後輪）と、３部門にとらえ、それぞれ別個にしてから、個々に狭小化、軽量化を考える。そうすれば、体積（携帯バッグの表面積）も小さくなり、又折りたたみ方も単純化出来る。
【考案を実施するための最良の状態】
【０００６】中央フレームを別個にする事により製造工程の単純化と、軽量化に向うと材質を吟味する丈で容易になる。
前部、後部も独立する為、狭小化、軽量化が考え安くなる。携帯にも別個のバッグに収能する事により持ち運ぶ時、左右に振り分けが出来、扱いが容易である。これが最良の実施です。
【図面の簡単な説明】
【０００７】
【図−１】側面図、例１、例２、例３、
【図−２】上面図（拡大）
【符号の説明】
図−１、例１  Ａ（ハンドルフレーム、サドルフレーム）Ｂ（中央フレーム）
１．（ボルト）  ２（ボルト）
例２、Ａ（ハンドルフレーム、サドルフレーム）、Ｂ（中央フレーム）
１．（ボルト）  ２（固定ピン）
例３、Ａ（ハンドルフレーム、サドルフレーム）、Ｂ（中央フレーム）
１．（ボルト）  ２（固定ピン）
図−２、Ａ（ハンドルフレーム、サドルフレーム）、Ｂ（中央フレーム）
１．（ボルト、固定ピン）、２．（ナット、固定ピン）、３（接合部）
：接続形体は材質、材形（パイプ等）にともない変化する。
【図−１】
0003141634.tif 000003
【図−２】
0003141634.tif 000004
【手続補正書】
【提出日】平成20年2月15日(2008.2.15)
【手続補正１】
【補正対象書類名】実用新案登録請求の範囲
【補正対象項目名】全文
【補正方法】変更
【補正の内容】
【実用新案登録請求の範囲】
【請求項１】
折りたたみ自転車のメイン、フレームを、ヘッドチューブ及びサドルチューブから独立、脱着構造にする事を特徴とする折りたたみ自転車。
(57)【要約】【課題】  本考案は、雨の中で乗車する運転手等がゆっくりしても雨を被らないように乗車できる雨よけ装置である。【解決手段】  本考案は、車両のドア付近の屋根の上に図１の本体を符号１，２，３の磁石で固定させ、車外から手動で符号８を引っ張って符号５の傘を開き乗車時の雨よけにする。乗車後は車両走行による後方への風力又は符号７の支点付近に取り付けたバネ又は磁石の力を補助にして符号５の傘を符号４の収納部に集めて走行中に開かないようにすることにより運転手が雨を被らないで乗車出きると共に、手を使うことなく符号５の傘部の収納ができる。【選択図】図２
0003141633.tif 000002
【実用新案登録請求の範囲】
【請求項１】
車両の屋根の上に扇子状に開閉する傘を取り付けて、乗車しようとする時開けたドアと座席との空間に雨がかからないようにする雨よけ装置。
【請求項２】
傘は、乗車しようとする者が手動で広げる。傘を閉じる時は車両が前進する時に発生する後方への風力を利用するが、補助として傘の支点部分に取り付けたバネや磁石等の力を利用する装置。
【請求項３】
車両の走行中は、一旦収納された傘が開かないようにするストッパー付の収納箱に傘部を収納する。
【請求項４】
車両への装着は屋根に固定するか、磁石等で屋根に吸着させて着脱可能にした車両用雨よけ装置。
【考案の詳細な説明】
【技術分野】
【０００１】  本考案は、降雨時車両に乗車しようとする運転手が車外から運転席に座るまでの間に雨に濡れるのを防ぐための雨よけ装置に関する考案である。
【背景技術】
【０００２】  運転席の雨よけ方法としては、ドアをスライド方式にする方法しか工夫の形跡がなかった。
【考案の開示】
【考案が解決しようとする課題】
【０００３】  従来、降雨時に車両に乗車しようとする運転手は、傘をたたみ雨の滴を払い落した後急いでフロントドアを開けて運転席に入り込みドアを閉めるか、ドアを開けた後急いで運転席に座りドアを閉めてから傘の滴りを落すか、いずれにしても、雨の中で乗車するには多少でも身体や衣服が雨で濡れている。これが、特に強雨の時は相当量の雨をかぶっている。そこで、この考案は、雨の中でも雨を被らないでゆっくり乗車できるようにしたものである。
【課題を解決するための手段】
【０００４】  １、本考案は、車両の屋根に磁石で取り付けた本体から、運転席と開けたドアとの空間の上部に傘が張り出すように扇子状にスライド式で開閉させて使用する乗車時の雨よけ装置である。  ２、この傘は、外部から手で広げて使用し、乗車後車両走行により後方向きに発生する風力で傘部をたたんで収納ボックスへ収納する。風力の補助として支点部分に取り付けた磁石やバネ等を利用する。  ３、一旦収納された傘は車両走行時に開かないように収納部分にストッパーを取り付ける。  ４、この装置の車両への装着は、着脱を自在にするため車両の屋根上に３箇所を強力な磁石で吸着させて固定させる。
【考案の効果】
【０００５】  １、この装置を使用すると運転席付近に雨が振り込むことがないので、乗車する者はゆっくり傘をたたみ、雨の滴を落とし、身体も車内も濡らすことなく乗車できる。これは、身体の不自由な運転手や強雨の中で乗車する運転手にとって、大きな利便となる。  ２、本考案は、雨よけ部分を１８０度扇子状に開く傘にしたことにより収納部分が小さくなるとともに開いたときの傘の面積を大きくすることができる。  ３、傘を閉じる力を車両走行等による風力、バネ、磁石の力にしたことにより、運転手が雨に濡れることなく収納できるものである。  ４、磁石を利用するため車両屋根への着脱が簡単で、雨天以外等で使用しない時は簡単に取り外すことができる。
【考案を実施するための最良の形態】
【０００６】  図１記載の通り
【実施例】
【０００７】  図２  乗車しようとして本考案の雨よけ装置の傘を開いた図  図３  傘部を収納部へ収納した図
【産業上の利用可能性】
【０００７】  降雨時車両に乗車する運転手が雨に濡れることが嫌である限り、他に雨を凌ぐ方法がないため十分利用されるものと思われる。
【図面の簡単な説明】
【０００８】
【図１】本考案の雨よけ装置の全体図である。符号１，２，３は磁石でこれを車両の屋根に吸着させて本体を固定させる。
【図２】車両の上部から見た図で符号６の右フロントドアを開けて本考案の傘を開いた図である。
【図３】車両の走行時に符号４の収納部に符号５の傘を収納した後の図である。
【符号の説明】
【０００９】符号１、２，３  雨よけ装置を車両に固定させる磁石符号４  傘の収納部符号５  スライド式の傘符号６  車両の右フロントドア符号７  支点符号８  傘部の端
【図１】
0003141633.tif 000003
【図２】
0003141633.tif 000004
【図３】
0003141633.tif 000005
【手続補正書】
【提出日】平成20年2月14日(2008.2.14)
【手続補正１】
【補正対象書類名】実用新案登録請求の範囲
【補正対象項目名】全文
【補正方法】変更
【補正の内容】
【実用新案登録請求の範囲】
【請求項１】
車両の屋根上に本装置の本体を磁石で吸着して固定させて使用する車両用雨よけ装置であって、当該装置は、本体の一端を要部分として扇子状に開閉する傘と、傘の収納部とを有することを特徴とする着脱自在の車両用雨よけ装置。
【請求項２】
本考案の装置の前記傘は、乗車時には要部分を支点として運転席の側面に張り出すように横開きし、乗車後は車両が前進する時に発生する後方への風力又は傘の慣性力で収納部へ閉じ込むことを特徴とする請求項１記載の車両用雨よけ装置。
(57)【要約】      （修正有）【課題】誰でも自由に簡単に出来、ゲーム性があり運動にもなる屋外用木製遊具を提供する。【解決手段】木製遊具で直径３０ｃｍ〜４０ｃｍ、厚さ５ｃｍ〜８ｃｍの円盤型を転がして得点を争う。例えば数人づつ、ふた手に別れ交互に転がしてピンを倒す。ルールは話し合いで、その時々で決める。得点も自主申告で審判もいらない。【選択図】図−１
0003141636.tif 000002
【実用新案登録請求の範囲】
【請求項１】
コロコロボーリング、１セット（円盤型転がり遊具１個＋ピン２本）
【考案の詳細な説明】
【技術分野】
【０００１】木製遊具（合成樹脂でもよいが成る可くなら避けたい。）
【背景技術】
【０００２】ゲートボールを見ていると、みなさん緊張している風である。
簡単でリラックスした運動具はないかと考えました。
【考案の開示】
【発明が解決しょうとする課題】
【０００３】毎回ゲートボールだけではおもしろくない。審判がそばで監視している。誰でも自由に簡単に出来る、ゲーム性があり運動にもなるものはないかと考えました。
【課題を解決するための手段】
【０００４】簡単でゲーム性をもつもの。
子供の頃、鍋ぶたを転がして１合ビンを倒す遊びを思い出しました。（私だけかもしれないが）そこで木製で直径３０ｃｍ〜４０ｃｍ、厚さ５ｃｍ〜８ｃｍ位の円盤型の物を作り、ピン（高さ５０ｃｍ位）を１〜２本立て円盤を転がして倒します。人数、ルールはその場で決めます。これでゲートボール大会に楽しみが１つふえると考えます。
【考案の効果】
【０００５】コロコロボーリングは単純明快である。
ルール等はその場で決める。例えば数人が相対峙し交互にピンを倒しあう。もちろん一人でも出来る。全てが自主的である。以上が考案の効果です。
【考案を実施するための最良の状態】
【０００６】木製（合成樹脂は成る可く避けたい）、で直径３０ｃｍ〜４０ｃｍ厚さ５ｃｍ〜８ｃｍの円盤型で転がしてピンを倒す。
ピンは瓢箪型にし、頂上に鈴を付ける。ルール、競技方法は、話し合いで、審判なんていらない。
得点は自主申告です。以上最良状態です。
【図面の簡単な説明】
【０００７】
【図−１】円盤型正面図．側面図
【図−２】ピン．側面図
【符号の説明】
【０００８】図−１．  １．ゴム．合成樹脂（補強．安全〕
図−２．  １．鈴．
【図−１】
0003141636.tif 000003
【図−２】
0003141636.tif 000004
【手続補正書】
【提出日】平成20年2月15日(2008.2.15)
【手続補正１】
【補正対象書類名】実用新案登録請求の範囲
【補正対象項目名】全文
【補正方法】変更
【補正の内容】
【実用新案登録請求の範囲】
【請求項１】
木材を円盤型に形成し、これを転がして立柱を倒し点数を争うことを特徴とする屋外用木製遊具。
(57)【要約】【課題】  少子化高齢者社会において、墓参りも遠のく時代に墓石を保護する墓石カバーを提供する。【解決手段】  墓石全体を被包するカバーであって、正面側を透明樹脂シートで形成し、他の側面及び天面を防水性の合成樹脂シートで構成し、裏面側のみ開放式として墓石に被せ易くしてマジックテープ（登録商標）と紐によって接合することによって墓石を保護する。【選択図】    図１
0003141638.tif 000002
【実用新案登録請求の範囲】
【請求項１】
墓石Ａを被包する保護カバー（１）において墓石正面側に透明の合成樹脂シート（２）を用い、他の側面（３）及び天面（４）を防水性の合成樹脂シートで形成し、墓石の裏面で該カバーを重合し、マジックテープ（５）で接着すると共に上下を紐（６）で結合することを特徴とした墓石保護カバー。
【考案の詳細な説明】
【技術分野】
【０００１】
本考案は、墓石を被包する墓石保護カバーに関する。
【背景技術】
【０００２】
高齢者社会においては、足腰が悪く墓参りもできず、墓石の掃除もできないことで心残りとしている家庭が多く、墓石に宿る魂を考えると、雨の日、風の日や夏の暑い日、また雪に埋れた寒い日など心が痛むことがある。
【特許文献１】特開２００４−１６９３７０号公報
【考案の開示】
【考案が解決しようとする課題】
【０００３】
冬雪に埋れた墓石を見ると心に偲びず何とかしなければいけないという思いが募る。このためなかにはブルーシートを被せてある墓石も見られるが何とも哀れを感じる。又最近では墓参りの代行アルバイトもあると聞いている。
【課題を解決するための手段】
【０００４】
考案者は、この点に鑑み、試作研究を重ねた結果本考案に到達したものであって、本考案は図示するように墓石Ａの石塔部分全体を被包する保護カバー（１）を設ける。この保護カバー（１）は墓石Ａの正面側を透明の合成樹脂シート（２）で成形することによって墓石Ａに刻記されている家名文字を確認することができ、墓石Ａの他の面は天面を含めて
防水性の合成樹脂シートで形成することによって永い間の使用に耐え得る保護カバーを提供する。
【考案の効果】
【０００５】
本考案の墓石保護カバーは、墓石を完全に被包するため墓石Ａは全面が保護され、たとえ１〜２年の間墓参りがなくても墓石が風雨に晒されることなく、暖かく見守られることとなり、墓に眠る祖先の霊魂を安らかにおさめることができ、近年少子化、高齢化社会に貢献する効果はきわめて顕著である。
【実施例】
【０００６】
添付図面により本考案の実施例を説明すると、図１は本考案の墓石保護カバー（１）を墓石Ａに被包した墓石正面側からの全体図であって、保護カバー（１）の正面側は石塔に刻字された家名等が読みとれるように全面を透明の合成樹脂シート（２）で形成する。
【０００７】
図２は保護カバー（１）の裏面からの斜視図であり、保護カバー（１）の側面（３）は天面側（４）と結合して成形し、裏面側のみ開放されていて墓石Ａに被せ易く形成し、マジックテープ（登録商標）によって天面側（４）と接合し、上下を紐（６）で結合して墓石Ａに固定する。      
【０００８】
本考案において、図示されている墓石Ａは、一般に見られる立型式の墓石Ａを対象としているが、公園墓地等で見られる横型式の墓石においても本案と同様の構成で保護カバー（１）を成形することができる。
【産業上の利用可能性】
【０００９】
上述のように本考案の墓石保護カバーは、少子化高齢者社会に向けての墓参りの見直しに係る墓石の形式として大いに利用されること請合い
である。
【図面の簡単な説明】
【００１０】
【図１】墓石に保護カバーを被包した全体図
【図２】保護カバーの裏面を示す斜視図
【符号の説明】
【００１１】
１  墓石保護カバー
２  保護カバーの正面
３  保護カバーの側面
４  保護カバーの天面
５  マジックテープ
６  紐
【図１】
0003141638.tif 000003
【図２】
0003141638.tif 000004
(57)【要約】【課題】  荷物に十字掛けがし易い紐を提供するものである。【解決手段】  対向した２本の紐を荷物の梱包に必要な長さの間隔で接着し、その接着部の間に切断印を付ける構成とすることで、切断する紐の長さの計量や中央の位置決めといった繁雑な作業をすることなく十字結部を作ることができ、荷物をその上に置くことで容易に十字紐掛けができる。【選択図】図１
0003141675.tif 000002
【実用新案登録請求の範囲】
【請求項１】
対向する２本の紐を所定の間隔でとびとびに接着し、接着されない部分に切断箇所を示す切断印を有することを特徴とする十字掛け用紐
【考案の詳細な説明】
【技術分野】
【０００１】  本考案は荷物梱包用の掛け紐に関するものである。
【背景技術】
【０００２】  雑誌や新聞などの荷物への安定した紐掛けの方法として荷物の４側面を紐が通り、荷物の底面と上面でそれぞれ紐が十字に交差して結ばれる十字掛けが多く用いられる。しかし、従来の紐を使って十字掛けを行う場合には、一対の側面側で一旦結束した後、他の一対の側面から結束した。このとき、底面で紐を十字形に結ぶため荷物を引っくり返したり，持ち上げるなど面倒であった。他に、２本の紐を用意しそれらを予め中央で結び十字形に展ばした上に荷物を置く方法もあるが、紐の長さの計量や中央決めなどの作業が面倒であった。
【考案の開示】
【考案が解決しようとする課題】
【０００３】  本考案は荷物に十字掛けがし易い紐を提供するものである。
【課題を解決するための手段】
【０００４】  以下、図を用いて構成と使用法を詳細に説明する。
図１は本考案の十字掛け用紐の構成図で、１は本考案の十字掛け用紐、２は巻き取られた状態のロール、３は紐Ａ、４は紐Ｂ，５は接着部、６は切断印、７はユニットである。図１は紐Ａ３と紐Ｂ４がテープ状である場合を例に示している。紐Ａ３と紐Ｂ４は重ねた状態で、梱包する荷物の大きさに応じて決められる間隔でとびとびに接着部５で接着されている。また、接着部５間の中央には切断印６が印されている。切断印６で区切られる範囲が１回の梱包で使用される単位のユニット７となる。
図２は使用法を示す図で、８は十字結部，９は想定する荷物である。十字掛け用紐１をロール２から引き出し、紐Ａ３と紐Ｂ４を切断印６で併せて切断し１つのユニット７を切り取る。切り取ったユニット７の中央部の接着部５を捩ったり結んだりして接着部５が離れないようにして十字結部８を作る。その後、紐Ａ３と紐Ｂ４を十字形に展ばし、その上に荷物９を置く。紐Ａ３と紐Ｂ４の端を荷物９の上面で十字に結ぶことで梱包を完成する。
荷物９のサイズを縦、横、高さで表すとき、縦と横の長さが同じであれば縦方向に結ぶ紐の長さ（縦紐長とよぶ）と横方向に結ぶ紐の長さ（横紐長とよぶ）は同じとなる。このときは接着部５の間隔は縦紐長とし、切断印６は接着部５の間隔の中央に印す。荷物９の縦と横の長さが大きく違うときは、接着部５の間隔を縦紐長と横紐長の平均とし、接着部５を中心に紐Ａ３と紐Ｂ４上に交互に縦紐長と横紐長の間隔をとるように、かつ、ユニット内の紐Ａ３と紐Ｂ４の切り取り長が異なるように切断印６を両紐に記すことで紐を無駄なく使用することができる。
【考案の効果】
【０００５】  荷物の梱包に必要な長さを示す切断印６を有し、その切断区間の中央部で、２本の紐がずれないように接着されているので、紐の長さの計量や中央の位置決めといった繁雑な作業をすることなく荷物の底面に当たる十字結部８を作ることができる。その結果、荷物を持ち上げたり、引っ繰り返したりすることなく、容易に十字紐掛けができる。
【考案を実施するための最良の形態】
【０００６】  ポリプロピレンなどを材料とした紐の製造、溶着や接着材などによる２本の紐の接着、切断印の印刷のいずれも従来技術で容易に実現できる。
なお、本説明ではテープ状の紐を例にしたが、ロープ状の紐でも同様に構成できる。
【図面の簡単な説明】
【０００７】
【図１】  十字掛け用紐の構成図である。
【図２】  十字掛け用紐の使用法を示す図である。
【符号の説明】
【０００８】１は十字掛け用紐、２はロール、３は紐Ａ、４は紐Ｂ，５は接着部、６は切断印、７はユニット、８は十字結部，９は荷物である。
【図１】
0003141675.tif 000003
【図２】
0003141675.tif 000004
(57)【要約】【課題】  錘を使用した投げ釣りや流し釣りにおいて、錘が川底や海底の石や岩礁に根掛かりして外れずに錘や仕掛けを失うことがある。本考案は、錘の前頭部に幹糸を介し取り付け根掛かり防止の役割を果たす仕掛けを提供す。【解決手段】  軟質材料のゴムシートやビニールシートを３箇以上の突起部から成る星形に切り出したもの中央にチューブを通し接着材で止め、錘を結んだ幹糸をチューブに通しチューブと幹糸を接着材で固定し、錘の前頭部にこの仕掛けを配置する。【選択図】図１
0003141671.tif 000002
【実用新案登録請求の範囲】
【請求項１】
錘の前頭部に配置する仕掛けであって、ゴムやビニー等の軟質シートから３箇以上の突起部から成る星形に切り出したシートの中心にチューブを通し、接着剤で止めることを特徴とする根掛かり防止用仕掛け。
【請求項２】
錘の前頭部に配置する仕掛けであって、ゴムやビニー等の軟質材料で成形し、中心に孔を穿ったボスと放射状に３箇所以上配置されたフィンから成るのを特徴とする根掛かり防止用仕掛け。
【考案の詳細な説明】
【技術分野】
【０００１】  本考案は、釣り仕掛けにおける根掛かり防止用仕掛けに関する。
【背景技術】
【０００２】  錘を使用した投げ釣りや流し釣りにおいて、錘が川底や海底の石や岩礁に根掛かりして外れずに錘や仕掛けを失うことがある。
【考案の開示】
【考案が解決しようとする課題】
【０００３】  従来の方法では、幹糸を単に錘の輪に結び付けているため、錘が石や岩礁の間に落ち込むと、錘が石や岩礁の間に食い込み外れず、錘や釣りの仕掛けを失うこととなる。本考案は、かかる問題点を鑑みてなされたものであって、錘の前頭部に幹糸を介し取り付け根掛かり防止の役割を果たす仕掛けを提供することを目的とする。
【課題を解決するための手段】
【０００４】  本考案に関わる仕掛けは、軟質材料のゴムシートやビニールシートを３箇以上の突起部から成る星形に切り出したもの中央にチューブを通し接着材で止め、チューブに幹糸を通しチューブと道糸を接着材で固定し、錘の前頭部に固定するのを特徴とする。仕掛けを一体成形で作成する場合は，中心に孔を穿ったボスと放射状に３箇所以上配置されたフィンとから成る形状に成形するのを特徴とする。
【考案の効果】
【０００５】  本考案によれば、錘が石や岩礁等の障害物に掛かりそうになると、錘の前頭部の仕掛けによって錘の頭部が石や岩礁から引き離され、幹糸も障害物から外れ錘全体が根掛かりから外れてくる。またこの仕掛けは、軟質材料から成りこの仕掛け自体が障害物に掛かりそうになると曲がり、障害物から抜け出てくる。
【考案を実施するための最良の形態】
【実施例１】
【０００６】  以下、本考案の実施例について、添付の図面を参照して具体的に説明する。
図１は本考案の実施の形態に関わるシートで造った仕掛けを使用した場合を示す。
【実施例２】
【０００７】  仕掛けを一体成形で造った場合の実施例を図２に示す。
【図面の簡単な説明】
【０００８】
【図１】  本考案の実施形態に係るシートで造った仕掛けを使用した場合の図である。
【図２】  本考案の実施形態に係る一体成形で造った仕掛けを使用した場合の図である。
【符号の説明】
【０００９】  １：幹糸
２：根掛かり防止仕掛け
３：錘
【図１】
0003141671.tif 000003
【図２】
0003141671.tif 000004
(57)【要約】      （修正有）【課題】カードにコンパクトに動物の組み立て式フィギュアを収め、損傷や汚れを防ぎ、各パーツがバラバラにならないようにし、郵便等で気軽に送付できるようにする。【解決手段】動物のフィギュアをできる限り少ないパーツにするために胴体、首、足、口鼻部分を一体化し、頭部と尻尾の３つのパーツに分ける。また、３つ折り出来るようにパーツをカードに配置し、特にフィギュア部分が内側に収まるようにする。【選択図】図１
0003141670.tif 000002
【実用新案登録請求の範囲】
【請求項１】
フィギュア本体の胴体、口、首、足、鼻部分を一体化した部位と頭部、尻尾の３つのパーツに分けた動物の組み立てフィギュア
【請求項２】
１枚のカードに切り抜き式の組み立てフィギュアと置台、完成図（または写真）を配置し、３つ折り出来るように、ミシン目または折線を加工したカード
【考案の詳細な説明】
【技術分野】
【０００１】  本考案は動物の切り抜き式の組み立てフィギュアを少ないパーツで構成し、置台、完成図を１枚のカードに納め、なおかつ３つ折り出来るようにする事で各パーツがバラバラにならないようにしたものである。
【背景技術】
【０００２】  従来、動物の切り抜き式の組み立てフィギュアはあったが、胴体、首、足、口、鼻部分を一体化し、頭部と尻尾の３つのパーツに分けたものはなかった。さらにフィギュアと置台を１枚のカードにし、１枚物または２つ折にしたものはあったが、明確にカードを３つ折りとしコンパクト化する事を目的としたものはなかった。
【考案の開示】
【考案が解決しようとする課題】
【０００３】  カードにコンパクトに動物の組み立て式フィギュアを収め損傷や汚れを防ぎ、各パーツがバラバラにならないようにし、郵便等で気軽に送付できるようにする。
【課題を解決するための手段】
【０００４】  動物のフィギュアをできる限り少ないパーツにするために胴体、首、足、口、鼻部分を一体化し、頭部と尻尾の３つのパーツに分ける。また、３つ折り出来るようにパーツをカードに配置し、特にフィギュア部分が内側に収まるようにする。
【考案の効果】
【０００５】  動物フィギュアの胴体、首、足、口、鼻部分を一体化する事で、パーツが少なくなり、折り線を工夫する事で簡単に組み立てられるようになった。また、３つ折りにする事で内側にフィギュア部分を収める事が出来、切り抜き部分を保護する事ができるため、汚れや損傷を防ぐ事ができる。また、カードの面積が３分の１となり、コンパクトになった。それぞれのパーツがバラバラになる事もなく商品化するためのセット作業にも手間が省けるようになった。
【実施例】
【０００６】図１のように動物のフィギュア部分を３つのパーツにする。カードを３等分に区切りフィギュア部分と完成図をカードの両端に配置し、置台を真ん中に配置する。また、３つ折りの各面の折り目を折り線またはミシンケイにする事で折りやすくする。
【図面の簡単な説明】
【０００７】
【図１】  各パーツの配置を示した平面図である。
【図２】  ３ツ折りにした状態を示す俯瞰図である
【符号の説明】
【０００８】  １は切り抜き線
２はミシンケイ
３は折り線
４は完成図
５は頭部
６は尻尾
７は胴体、首、足、口、鼻部分
【図１】
0003141670.tif 000003
【図２】
0003141670.tif 000004
(57)【要約】      （修正有）【課題】納骨容器を個性的な容器とし、墓も個性的な墓とする。【解決手段】納骨容器又は墓を常に花で飾ったものとし、納骨容器を単調な陶磁器の容器でなく美麗な容器とすること、又墓も単なる石材の墓でなく華麗な墓として霊園の雰囲気を和ませるような墓とする。【選択図】図１
0003141664.tif 000002
【実用新案登録請求の範囲】
【請求項１】
石材又は陶磁器製で、円筒状で下方に向けて末広がりとし、内部は底を残して空洞とした容器と、当該容器に冠着する略半円球状の蓋からなり、当該蓋の外面には同じく石材又は陶磁器からなる適宜の多数の花を固着してなる納骨容器兼用の花笠墓。
【請求項２】
容器本体、蓋及び花を、透光性の大なる大理石又は陶磁器としてなる請求項１の納骨容器兼用の花笠墓。
【考案の詳細な説明】
【技術分野】
【０００１】  本考案は、故人の遺骨を納骨する納骨容器（墓）に関するものである。
【背景技術】
【０００２】  従来より骨つぼ（納骨容器）は白の陶磁器製の蓋付容器が一般的であり、格別に個性的な形状のものはみかけない。また墓石も個性的なものも見掛けるが全般的に見れば従来から変わっていない。【０００３】  一方、最近は一般的な墓の建立が困難になっている。原因の一つとして、特に都会においては手近に霊園が確保し難いこと、また墓石も高価なことが上げられるが、近年、一般的な霊園に墓石を建立すると言うのではなく、ロッカータイプの納骨システムが開発されてきた。【０００４】  ロッカータイプの納骨システムにも、石材製から金属製と種々開発されているが、いずれもロッカーの納骨室内部に骨つぼを収納すれば、その周辺にはあまり余裕はなく、献花する余地もないというのが実情である。また仮に献花可能な広さであっても、納骨室は扉で閉ざされることから生花を献花することは困難であった。【０００５】  また、霊園においても、従来からある和墓を建立するのではなく、霊園そのものを芝生を敷き詰めた用地とし、そこに小型の洋墓を建立することも実施されているが、洋墓とはいえ、従来からあるもので、墓石そのものに改良の余地は充分にあったのである。
【考案の開示】
【考案が解決しようとする課題】
【０００６】解決しようとする問題点は、納骨容器を単なる容器ではなく、個性的な容器とすることであり、また墓においても個性的な墓とすることである。
【課題を解決するための手段】
【０００７】  本考案は、納骨容器又は墓を常に花で飾ったものとし、納骨容器を単調な陶磁器の容器でなく美麗な容器とすること、又墓も単なる石材の墓でなく華麗な墓として霊園の雰囲気を和ませるような墓とすること、これらが課題を解決するための手段である。
【考案の効果】
【０００８】  納骨容器は従来は陶磁器の単なる白いつぼであったが、本考案は石材又は陶磁器製で、円筒状で下方に向けて末広がりとし、内部は底を残して空洞とした容器と、当該容器に冠着する略半円球状の蓋からなり、当該蓋の外面には同じく石材又は陶磁器からなる適宜の多数の花を固着してなる納骨容器兼用の花笠墓であり、更には、容器本体、蓋及び花を、透光性の大なる大理石又は陶磁器としてなる納骨容器兼用の花笠墓であるから、ロッカータイプの納骨室内に花笠タイプの納骨容器を入れることで、納骨容器は常に花に飾られており、霊園に建立する場合も花笠墓であるから優美であり且つ霊園そのものの雰囲気も和らぐものである。また太陽電池とＬＥＤ照明を利用したものにあっては夜間において薄っすらと花笠が浮き上がり極めて優美である等、極めて実用的な効果を有するものである。
【考案を実施するための最良の形態】
【０００９】  本考案は、石材又は陶磁器製で、円筒状で下方に向けて末広がりとし、内部は底を残して空洞とした容器と、当該容器に冠着する略半円球状の蓋からなり、当該蓋の外面には同じく石材又は陶磁器からなる適宜の多数の花を固着してなる納骨容器兼用の花笠墓であり、更には、容器本体、蓋及び花を、透光性の大なる大理石又は陶磁器としてなる請求項１の納骨容器兼用の花笠墓を呈せんとするものである。
【実施例１】
【００１０】  本体１は円筒状で下方に向けて末広がりとし、下端部分には更に大径とした台座部２を設けると共に、内部は底を残して空洞（納骨部３）とした容器を大理石又は陶磁器により形成する。当該本体１に冠着する蓋４は略半円球状とし、同じく大理石又は陶磁器製としている。当該蓋４の外面には同じく石材又は陶磁器からなる適宜の多数の花５、５…を固着し納骨容器Ａとしている。花５の種類、大きさ、固着方法に限定を受けるものではない。
【実施例２】
【００１１】  本体１の下端部分に位置する台座部２の下に更に適宜の高さで台座部２より更に大径の台座６を設け花笠墓を構成している。
【実施例３】
【００１２】  図示はしていないが、本体１、蓋２、花３の部分の肉厚を若干薄くし、且つ透光性の大なる大理石又は陶磁器にて形成する。
【実施例４】
【００１３】  同じく図示はしていないが、蓋４の一部分スペースは花５を取付けずにおき、当該部分に太陽光発電のモジュールを取付け、蓋４の内部に高輝度・省電力のＬＥＤ照明等を配設すると共に、充放電コントローラー、メンテナンスフリー蓄電池等々を台座６に収納し、太陽光により蓄電した電力で、透光性の大なる大理石又は陶磁器にて形成された本体１及び蓋４の花５が夜間に薄っすらと光るように構成している。これは実施例２の花笠墓に用いられている。
【産業上の利用可能性】
【００１４】  本考案は、石材又は陶磁器製で、円筒状で下方に向けて末広がりとし、内部は底を残して空洞３とした容器本体１と、当該容器本体１に冠着する略半円球状の蓋４からなり、当該蓋４の外面には同じく石材又は陶磁器からなる適宜の多数の花５、５…を固着してなる納骨容器Ａ兼用の花笠墓Ｂであり、更には、容器本体１、蓋４及び花５、５…を、透光性の大なる大理石又は陶磁器としてなる請求項１の納骨容器Ａ兼用の花笠墓Ｂであるから、従来は骨つぼ（納骨容器）と言えば白の陶磁器製の蓋付容器が一般的であり、格別に個性的な形状のものはみかけなかったし、また墓石も個性的なものも見掛けるが全般的に見れば従来から変わっていなかった。更にはロッカータイプの納骨室にあっては、その納骨室のスペースから献花も容易でなく、しかも芝生を敷き詰めたような綺麗な霊園にも従来からの洋墓しか建立されていなかったが、本考案ではロッカータイプの納骨室内に花笠タイプの納骨容器Ａを入れることで、納骨容器Ａは常に花に飾られており、霊園に建立する場合も花笠墓Ｂであるから優美であり且つ霊園そのものの雰囲気も和らぐものである。また太陽電池とＬＥＤ照明を利用したものにあっては夜間において薄っすらと花笠が浮き上がり極めて優美である等、産業上での利用可能性は極めて大きいものがある。
【図面の簡単な説明】
【００１５】
【図１】  納骨容器の正面図
【図２】  納骨容器（花なし）の一部断面した側面図
【図３】  花笠墓の正面図
【符号の説明】
【００１６】  １  容器本体
２  台座部
３  空洞（納骨部）
４  蓋
５  花
６  台座
Ａ  納骨容器
Ｂ  花笠墓
【図１】
0003141664.tif 000003
【図２】
0003141664.tif 000004
【図３】
0003141664.tif 000005